(57)【特許請求の範囲】
【請求項１】
容器の軸（４）を規定する周囲を有する回転対称の壁領域（１）と、
上面及び所定半径長さ（ｒ）の円形周囲を有し、回転対称壁領域の周囲に及びそれに沿って固定される蓋部壁（２）と、
前記容器の軸（４）と蓋部壁（２）の円形周囲との間に延在し、ひとたび破断開口されると１つの飲用および注出開口（９）を解放する所定の破断線（６）によって囲まれる蓋部壁（２）の限定領域（５）と、
所定の破断線（６）内において蓋部壁（２）の壁部分によって形成される傾斜面（５ａ）を備える凹部と、
蓋部壁（２）に亘る壁（１３）と、該壁（１３）に設けられる切抜き開口（１５）と、傾斜面上をスライドして飲用および注出開口（９）を破断開口するための突出と、を有する回転式蓋部重蓋（１０）と、
飲用および注出開口（９）を破断開口するために、及び回転式蓋部重蓋（１０）を全開位置と全閉鎖位置との間で動かすために、回転式蓋部重蓋（１０）が前記軸（４）中心に回転されるときに、該回転式蓋部重蓋（１０）を支持する手段（３，２０）と、
を含んで構成される容器において、
飲用および注出開口（９）の全開位置に回転式蓋部重蓋（１０）が回転されるときに、蓋部壁（２）の傾斜面（５ａ）を備える凹部が、切抜き開口（１５）によって重畳される限定領域（５）の位置に配設され、
前記突出が、回転式蓋部重蓋（１０）の壁部分から形成される突出部（１６）であり、
ひとたび飲用および注出開口（９）が破断開口され回転式蓋部重蓋（１０）が全閉鎖位置に回転されたときに、飲用および注出開口（９）をシールするように、回転式蓋部重蓋（１０）の壁（１３）が、蓋部壁（２）の上面に圧力を作用させつつ弾性的に係合することを特徴とする容器。
【請求項２】
突出部（１６）と前記容器の軸（４）との間の間隙（S４）が、蓋部壁（２）の半径長さ（ｒ）の０．３から０．６の範囲であり、飲用および注出開口（９）が少なくとも前記半径長さ（ｒ）の半分（ｒ／２）の半径寸法を有することを特徴とする請求項１に記載の容器。
【請求項３】
回転対称の壁領域（１）が縁端継目（３）を介して蓋部壁（２）に結合され、回転式蓋部重蓋（１０）が縁端継目（３）周囲に係合するキャップとして設計され、それによって前記支持手段（３，２０）を少なくとも部分的に形成すること、回転式蓋部重蓋（１０）がグリップ領域（１１）を有し、前記グリップ領域（１１）が回転軸に対するレバー長さを有し、その長さが突出部（１６）と前記容器の軸（４）との間の間隙より大きいことを特徴とする請求項１または２に記載の容器。
【請求項４】
いくつかのクリップ（２０）が、縁端継目（３）周囲に係合するための前記キャップに設けられることを特徴とする請求項３に記載の容器。
【請求項５】
回転式蓋部重蓋（１０）のグリップ領域（１１）を波形とすることを特徴とする請求項３または４に記載の容器。
【請求項６】
相互作用掛止手段（７，１７）が蓋部壁（２）および回転式蓋部重蓋（１０）に設けられ、それによって回転式蓋部重蓋を全開位置または完全閉鎖位置に拘束することを特徴とする請求項１乃至４のいずれか１項に記載の容器。
【請求項７】
蓋部壁（２）の限定領域（５）が、封止塗布（５ｆ）によって囲まれることを特徴とする請求項１乃至６のいずれか１項に記載の容器。
【請求項８】
限定領域（５）が肝臓形の輪郭を有することを特徴とする請求項１乃至７のいずれか１項に記載の容器。
【請求項９】
所定の破断線（６）は完全には閉じておらず、その結果、飲用および注出開口（９）が最初に開かれる際に、限定領域（５）のある壁材（５ｅ）が蓋部壁（２）にラグとして係留状態に持着維持されることを特徴とする請求項１乃至８のいずれか１項に記載の容器。
【請求項１０】
回転式蓋部重蓋（１０）が、回転摺動壁（１３）を蓋部壁（２）に弾性的に押圧するよう配設された環状襞（２１）を有することを特徴とする請求項１乃至９のいずれか１項に記載の容器。
【発明の詳細な説明】
【０００１】
（発明の分野）
本発明は、流動製品を収容する容器に関し、特に、破断開口によって飲用および注出開口を生成する所定の破断線を設けた飲料用缶の形態をした流動製品を収容する容器に関する。
【０００２】
（発明の背景）
飲料用缶は、通常、リング・プル・タブが固定される壁領域を画定する馬蹄形の所定の破断線を有する。タブを動かしてそのような飲料用缶を開けると、もはや缶を有効に閉じることはできず、そのために炭酸飲料の場合には、缶の中身を早急に消費する必要があり、さもないと飲料は気が抜けてしまう。
【０００３】
この欠点をなくすため、バヨネット蓋体として缶の円筒状壁、いわゆるコア・ウォールの嵌合係合要素と相互作用する係合要素を有し、缶に開けた飲用または注出開口を気密閉鎖する蓋状閉鎖要素を設けることが既に知られている（ＤＥ１９６１３２５６Ａ１）。その注出開口を生成するため、閉鎖要素は缶の蓋部壁の溝に係合し、閉鎖要素の回転時に、溝の斜め上向きに傾斜する押圧面に滑着する弧状の押圧要素を有し、それによって缶の蓋部壁の縁周囲に延在する所定の破断線が破断開口する。飲料缶のこの形状構成で不利な点は、缶の輪郭形状が従来の飲料缶と異なるために、従来の飲料缶に積み重ねできないことにある。さらに、その使用中、注出開口を解放するには、閉鎖要素を飲料缶から取り外さなければならない。
【０００４】
ＥＰ０３４０８３５  Ａ１は、２つの比較的に小さな対角線的に対向する開口および２つの対角線的に対向する、円筒状チューブ・コネクタを有し、２つの対角線的に対向するキャップ状部分を備える缶に嵌合する缶蓋を開示している。また、蓋には上向き傾斜するストップ・エッジも設けられ、その助けによって缶のキャップ状部分を破断開口する。蓋の対角線的に対向する開口を缶の破断開口ポイント上方に位置決めすることにより、クリームの缶で知られているように、缶の中身を一方の開口を介して注出し、その間空気を他方の開口から流入させることができる。円筒状チューブ・コネクタが破断開口ポイント上方に位置決めされていれば、開口は適度の封止作用を伴って閉じることができる。この実施形態においても、缶の輪郭が変えられているため、この缶が従来の缶に積み重ね可能か保証しかねる。また、炭酸飲料の封入には適していない。
【０００５】
（発明の概要）
本発明の目的は、同様タイプの従来容器に積み重ね可能に構成された回転式開閉部付き容器を提供することにある。
【０００６】
本発明の別の目的は、炭酸飲料の封入用にも適する回転式重蓋付き容器を提供することにある。
【０００７】
本発明のさらに別の目的は、回転式開閉部を回転させるだけで（取外し不要）飲用および注出開口を開閉可能な回転式重蓋付き容器を提供することにある。
【０００８】
本発明のさらに別の目的は、１つの注出開口で、その相対的な大きさにより、飲用開口として機能するのに十分な回転式重蓋付きの容器を提供することにある。
【０００９】
本発明は、容器に回転可能に装着する回転式蓋開閉部を提供する。回転式蓋開閉部は、容器の蓋部壁の注出開口が回転式蓋開閉部を回すことによって開口できる突出部を有する。回転式蓋開閉部はまた、容器の蓋部壁の注出開口に一致させることができる切抜き開口を有し、それによって容器から内容物を除去可能とする。回転式蓋部重蓋の切抜き開口は、中間位置に回すことも可能で、それによって回転式蓋部重蓋の壁部分が蓋部壁の注出開口を覆いかつ閉じる。容器および回転式蓋部重蓋には、支持手段が設けられ、その結果、蓋部壁の注出開口縁端に対する回転式蓋部重蓋の壁の支持の大きさは、炭酸飲料をも封入するのに十分である。
【００１０】
詳細には、回転式蓋部重蓋は缶にキャップとして載置され、市販の金属缶では縁端継目背後に係合するクリップによって缶上に保持される。クリップは３箇所で十分で、それらのクリップの凹みにより縁端継目を強固に押さえて回転式重蓋を保持し、その回転は妨げない。回転式重蓋がキャップ形式であるため、手による把持表面積が十分に大きく、その結果、回転式重蓋を把持および回転させるのに好都合であり、長いレバー長さが形成される。注出開口、即ち蓋部壁の切込み線によって限定される領域を開けるために回転式重蓋に突出部を設け、回転式重蓋を動かすことによってこの突出部を限定領域内に押し込むことができ、その結果、蓋部が切込み線の短い区間に沿って破断する。回転式重蓋をさらに回すことにより、突出部が画定領域表面を移動し、その結果、蓋部壁がこの限定領域内で一層下向きに折曲し、注出開口が完全に開かれるまで亀裂が切込み線に沿って伝わる。本発明の好ましい実施形態においては、回転式重蓋の切抜き開口が容器の蓋部壁の注出開口に重なる。容器は回転式蓋部重蓋を逆に回すことによって閉じられる。
【００１１】
本発明は、市販の缶を使用できる点でとりわけ有利であり、専ら異なる点はリング・プル・タブに代えて回転式重蓋を装着することにある。この回転式重蓋は、これを閉じた状態における封止に優れ、その結果、炭酸飲料でも一定の圧力下で缶内に保持することができる。
【００１２】
（実施形態の説明）
図１は、缶の上端、即ちアルミニウム製等の蓋部壁２により閉じられ、縁端継目３が形成された、ブリキ板製等による、回転対称の壁領域１を示す。蓋部壁２は、周囲溝８および画定領域５を有し、画定領域は、蓋部壁２の面に対してある程度沈められ、所定の破断線（図２）として切込み線６を介した部分的破断開口の備えとしたものである。蓋部壁２には、２つの掛止位置としての窪み７ａ、７ｂも設けられる。
【００１３】
図２から分かるように、切込み溝６は弧状区分６ａ、６ｂ、６ｃおよび６ｄを有する。弧状区分６ａおよび６ｂは、多少とも半径方向沿いに延び、相互に対して９０度足らず傾斜する。区分６ｂは、区分６ａより幾分長い。区分６ｃおよび６ｄは、中心軸４とほぼ同心に延びるが、長めの区分６ｂ寄りになる分、同心度は完全ではない。
【００１４】
図１はまた、回転式蓋部重蓋１０を図４の区分Ｉ−Ｉの断面として示し、重蓋は金属もしくはプラスチックから成り、漏斗状幅広部１２および回転摺動壁１３を伴う周囲環状壁１１を有する。回転摺動壁１３は、蓋部壁２の画定領域５に多少とも同じ形状の切抜き開口１５を有する。開口１５領域内の壁１３の部分は、図５からよく分かるように、ループ状に上側から折曲してビード状突出部１６を形成する。ビード１７もまた突出部として壁１３に設けられ、窪み７ａ、７ｂの一方もしくは他方に係合し、それによって缶全体としての明確な開位置および閉位置が求められる。
【００１５】
回転式重蓋１０は、缶１に蓋として嵌合し、縁端継目３背後にいくつかのクリップ２０、たとえば３つの弾性凹み（図６）等によって係合する。さらに、突出する環状襞２１が溝８に係合し、それによって回転式重蓋の回転時に回転摺動壁１３が弾性的、かつ密着状態に側壁２に案内される。回転式重蓋１０は、さらに、襞もしくはローレット切り付きで設計される環状壁１１によって特段に把持し易く製作される。
【００１６】
圧密開閉を達成するには、ビード状突出部１６の前面側１６ａおよび壁１３の下側１３ａにゴム引き(rubber-coat)するか、あるいは他に何らかの封止コーティングを施すのが適切である。
【００１７】
さらに、ビード状封止塗布を画定領域５周囲、所定破断線６の外側に施すのが適切であり、その結果、回転式重蓋１０の接触圧が画定領域５周囲で最大となる。
【００１８】
缶の開始位置においては、もしくは缶が供給された位置においては、ビード状突出部１６は画定領域５内に位置し、縁端領域６ａに重なる。この開始位置では、突出部１７が窪み７ａに掛止し、この開始位置が固定される。親指を使用してビード状突出部１６を押圧することにより、図５の左上に示すように、切込み線６を破って領域６ａ内に入れることができる。回転式重蓋１０の縁端１１、１２を次いで掴み、図４で分かるように、反時計回り方向に回転させる。次いでビード１６により、図５の右上および左下に概略示すように、画定領域５が一段と多く下向き曲折してラグ(lug)５ａが形成される。それによって飲用または注出開口９が形成され、ほぼ画定領域５を占める。この開口９は、回転式開閉部１０を逆転させることにより、図５の右下に示すように、解放することができる。この位置で、開口９と回転式重蓋１０の切抜き開口１５が重なり、容器の内容物の最大除去が可能となる。形成された重畳状態は、反時計回り回転によって一部または全部除外することができ、その結果、有効出口開口が多かれ少なかれ顕著になるか、あるいは閉鎖される。後者は、ビード１７が窪み７ｂに係合する場合である。
【００１９】
この閉鎖位置において、ビード１６の封止コーティング１６ａが図５左下に示すように開口９の縁端２ａに接触し、コーティング１３ａによって壁２が封止される。
【００２０】
図７は、ビード１６と画定領域５の親指の助力によらない相互作用を示す。限定領域５は、傾斜面付きの３つの領域５ａ、５ｃおよび５ｄならびにプラトー領域５ｂを有する。回転式重蓋を開始位置以外に回転させた場合には、ビード１６が傾斜面５ａ沿いに平坦面５ｂ方向に摺動し、その結果、蓋部２に対する圧力が増加し、切込み線が６ｃと６ａ間の画定領域で破断する。この裂開が領域６ａを介して領域６ｄに伝わり、領域６ｂを介して領域６ｃに広がり、ここで切込み線が中断し、それによって分離部分５が蓋部２に持着状態を維持されて容器内部に落下しない。領域５ａの傾斜面が急なほど、切込み線を破断させるために加える必要がある初期の力が大きい。傾斜面の角度は、２０度と４０度の間とする。
【００２１】
回転式重蓋１０は、隣接する缶の底が蓋１０の上縁拡開部に嵌合し、その結果いくつかの缶を相互係合により上下に積むことができる寸法とすることが好ましい。
【００２２】
図８から１３は、回転式開閉部付き缶の第二の実施形態を示す。第一の実施形態の部分に対応する部分には同じ呼称を付し、これに第一の実施形態の説明を援用する。
【００２３】
切込み線６は、その肝臓形輪郭に凸部６ｅを伴い、その位置で切込み線は中断する。蓋部壁２の画定領域５は、飲用開口９を形成するために破断されるが、係留のため領域５ｅの蓋部壁に持着状態を維持される。限定領域５は、第一の実施形態と同様に破断されるが、傾斜面５ａは第一の実施形態の傾斜面よりやや狭めかつ長めとする。したがって、回転式蓋部重蓋１０の突出部１６は半径方向に短めとし、回転摺動壁１３から下向きに延在するのみとし、即ち、回転摺動壁１３に設けられ、肝臓形もしくは豆形輪郭を有する切抜き開口１５から一定の間隔Ｓ１（図１３）をとる引込部またはビードとして設計される。引込部またはビード１６と回転軸４の間の間隔をＳ２と称する。肝臓形の凹みは回転式蓋部重蓋１０の回転軸４から一定間隔Ｓ４および蓋部壁２の端縁から間隔Ｓ３にある。封止層もしくは封止ビードが領域５周囲のこの間隔帯(spacing strip)に適用される。それについては、図１４から１６に関してさらに詳細に説明する。
【００２４】
本発明のシステムでは、回転摺動壁１３の閉じられた半分は開口または領域５に重なり、したがって開口または領域５は回転摺動壁１３の表面積の半ばをも占め得る。飲用開口９の縁は丸形とするのが望ましく、かつ壁の破断部分はウェブ５ｅに持着状態を維持すべきであるため、飲用開口９の最大寸法もそれに見合って小さめとする。飲用開口９は封止されるため、開口周囲に封止面を必要とする。したがって、間隔Ｓ１、Ｓ３およびＳ４が必要とされる。ここに説明した実施形態では、開口９および１５は実質的に実用目的にかなう最大の大きさとされている。なお、開口９および１５の大きさをさらに増すとすれば、突出部１６と回転軸４の間の間隔Ｓ２を増すしかなく、その結果、開口９および１５の輪郭はむしろスロットに似た形状構成ともなろう。開口９あるいは１５の半径方向の大きさは、ｒ−（Ｓ３＋Ｓ４）とし、ｒは回転摺動壁の半径である。この半径方向の大きさは、６５ｍｍ径の市販の飲料缶の場合に十分な大きさの飲用開口とするには少なくともｒ／２とすべきである。突出部１６は、所定の破断線６に対してほぼ接線方向に延在し、領域５のほぼ中心を通過すべきである。それは、突出部１６の延在する方向の角度を、図８から１３の条件に関して、半径線に対して約３０度から６０度とすることを意味する。間隔Ｓ２については、０．３ｒから０．６ｒの範囲とすることが好ましい。
【００２５】
回転式蓋部重蓋１０にはクリップを設け、第一の実施形態の場合と同様に缶の上端に係合させる。ただし、周囲環状壁１１の末端は、図１０に示すように、フランジ付き端縁１１ａとする。図９から分かるように、環状壁１１は波形に形成して、回転式蓋部重蓋１０をより大きな力で回転可能にすることができる。
【００２６】
回転式蓋部重蓋の取扱い方を図１１から１３に示す。図１１は、回転式蓋部重蓋１０がその販売時の位置に装着された状態を示す。顧客が缶を開けたい場合には、回転式蓋部重蓋１０を矢印Ｐ１で示すように左に回す。突出部１６が傾斜領域５ａ上を移動し、増加する圧力によって切込み線６の破断が保証される。回転Ｐ１の間に、開口１５が限定領域５に入り、ついに、図１２に示すように画定領域全面に重なる。矢印Ｐ１に従ったこの回転中に、壁領域５が缶１の内部に旋回するが、５ｅに示すように蓋部壁２に持着状態を維持される。飲用開口９が図１２の位置で最大の大きさに開く。
【００２７】
回転式重蓋は、矢印Ｐ２に従い右に回すことによって再び閉じることができる。次いで、図１３による回転式蓋部重蓋の位置に達する。この場合、突出部１６は、開口領域５の縁端に当接する。回転式重蓋１０の角度位置は、図１１の開始位置における角度位置とは幾分異なる。これは、図１１の状態では隠れていた鎌状領域２ｂが蓋部壁２から視認できることを意味する。この鎌状領域２ｂは、缶が既に開けられたか、あるいは開けようとしたことが専門家に分かるようにマークしておくことができる。
【００２８】
不正開封表示機能は、他の方法、たとえば蓋部壁２および回転摺動壁１３の開口１５の領域に貼着されるシール等によっても達成することができる。回転式蓋部重蓋１０を回転させるときに、このシールを破らねばならず、それによって缶の不正使用が示される。
【００２９】
重蓋１０の回転は缶１に対する移動を含んでいるので、保安機能は、環状壁１１の端縁１１ａの領域にも設けることができる。
【００３０】
容器は、たとえば注入栓等への嵌合が望まれるために円形断面を伴う注出開口を有することが至便であろう。図１４から１６による変形は、そのような円形アクセス開口１５を示す。所定の破断線６はほぼ馬蹄形とし、それに相応して形状構成された領域５を囲み、周囲にビード状封止領域５ｆが延在する。重蓋１０を矢印Ｐ１に従い左に回せば、突出部１６が傾斜面５ａ上に移動して壁領域５を下向きに押圧し、その結果、所定の破断線６は裂開し、ただし領域５ｅは持着状態を維持される。部分１０は、図２の７ａに示すのと同様に、蓋部壁２の対応する窪みに掛止する突出部１７を含む。回転式蓋部重蓋１０のこの角度位置で、図１５に示すように、開口１５は開いている領域５に最大限の大きさで重なる。回転摺動壁１３は、押圧作用により、封止領域５ｆに当接する。回転摺動壁１３は、とりわけ環状溝２１の領域に弾性的追従性(resilient compliance)があり、それによって、回転摺動壁１３の封止領域５ｆに対する封止当接は、蓋部壁２が缶が開けられたときの内圧損失の結果ある程度降伏した場合でも、即ちその当初の比較的大きな曲率を失った場合でも、依然として機能することに留意されたい。
【００３１】
図１５は、容器の開口位置を示し、矢印Ｐ２に従い右に回すことによって図１６の閉鎖位置に移行できる。この状態から、容器は回転式蓋部重蓋１０を矢印Ｐ３に従い左に回すことによって再び開くことができる。
【００３２】
缶１は、さらにオルゴールとして開発可能であり、これにおいては超小型電源および超小型スピーカ付きマイクロチップが蓋もしくは蓋頂部覆いに装着され、マイクロチップは缶の開口時もしくは回転式蓋部重蓋の回転時に付勢されてメロディ、宣伝等を鳴らす。
【００３３】
この新規な回転式重蓋は、単に缶に限らず、裂開により注出開口を形成しなければならない蓋部壁付きの、回転対称壁を有する他の形式の容器にも使用することができる。
【００３４】
この新規な回転式重蓋は、きわめてユーザ・フレンドリーである。回転式重蓋のキャップ状デザインにより、掴むのに好都合であり、負傷の虞がない（即ち、従来容器のようにプル・タブで爪が裂けたり切傷を負ったりする虞がない）。さらに、この回転式重蓋はグリップ位置１１が開始位置６／１６に対して一段と外側に位置するため、有利なレバー作用が得られる。デザインが簡潔であるため、回転式蓋部重蓋の余分のコストはリング・プル・タブ付きの従来容器より僅かに高いにすぎず、その余分のコストも、達成される利点によって相殺される。この缶は、繰返し開閉可能、かつ漏れが無く、炭酸飲料のロスを封止する。缶を閉じれば、開口容器内に入り込む虞のある昆虫を飲み込む虞がない（保証請求の排除）。
【図面の簡単な説明】
【図１】  回転式重蓋を備える缶の頂部を示す分解断面図である。
【図２】  缶の蓋部壁を図１より大きい尺度で示す図である。
【図３】  図２のＩＩＩ−ＩＩＩ線断面図である。
【図４】  回転式重蓋を示す図である。
【図５】  缶を開ける操作の概略図である。
【図６】  クリップ形成を示す図である。
【図７】  細部の拡大断面図である。
【図８】  回転式重蓋付き缶の第二の実施形態の頂部断面図である。
【図９】  図８による缶の平面図である。
【図１０】  図８の一部拡大詳細図である。
【図１１】  缶の開閉操作を示す図である。
【図１２】  缶の開閉操作を示す図である。
【図１３】  缶の開閉操作を示す図である。
【図１４】  缶の変形の開閉操作を示す図である。
【図１５】  缶の変形の開閉操作を示す図である。
【図１６】  缶の変形の開閉操作を示す図である。
【図１】
0003672872.tif 000002
【図２】
0003672872.tif 000003
【図３】
0003672872.tif 000004
【図４】
0003672872.tif 000005
【図５】
0003672872.tif 000006
【図６】
0003672872.tif 000007
【図７】
0003672872.tif 000008
【図８】
0003672872.tif 000009
【図９】
0003672872.tif 000010
【図１０】
0003672872.tif 000011
【図１１】
0003672872.tif 000012
【図１２】
0003672872.tif 000013
【図１３】
0003672872.tif 000014
【図１４】
0003672872.tif 000015
【図１５】
0003672872.tif 000016
【図１６】
0003672872.tif 000017